(57)【要約】【課題】眼鏡型ディスプレイにおける装着・脱離の簡便性を維持し、かつ、装着時における鼻や耳への負荷を低減する。【解決手段】本発明は、画像情報に応じた画像を表示するための画像表示部２０と、この画像表示部２０を使用者の眼前に支持し、使用者の側頭部に当接する左右一対のテンプル１００とを有する眼鏡型ディスプレイであって、上記テンプル１０に、このテンプル１０と側頭部との密着力を低下させるための側頭部密着部体４０Ａを設けている。【選択図】図４
2016131270.tif 000002
【特許請求の範囲】
【請求項１】
画像情報に応じた画像を表示するための画像表示部と、この画像表示部を使用者の眼前に支持し、使用者の側頭部に当接する左右一対のテンプルとを有する眼鏡型ディスプレイであって、
上記テンプルに、このテンプルと側頭部との密着力を低下させるための側頭部密着部体を設けたことを特徴とする眼鏡型ディスプレイ。
【請求項２】
側頭部密着部体が、加熱により粘着力が弱まる粘着層と、この粘着層を加熱するための加熱素子とを有しており、
眼鏡型ディスプレイの脱離時には、加熱素子により粘着層を加熱して粘着力を弱めることを特徴とする請求項１に記載の眼鏡型ディスプレイ。
【請求項３】
側頭部密着部体が、冷却により粘着力が弱まる粘着層と、この粘着層を冷却するための冷却素子とを有しており、
眼鏡型ディスプレイの脱離時には、冷却素子により粘着層を冷却して粘着力を弱めることを特徴とする請求項１に記載の眼鏡型ディスプレイ。
【請求項４】
側頭部密着部体が、空気圧により膨縮する支持部材を有しており、
眼鏡型ディスプレイの脱離時には、空気圧を低めて支持部材を収縮させることを特徴とする請求項１に記載の眼鏡型ディスプレイ。
【請求項５】
画像情報に応じた画像を表示するための画像表示部と、この画像表示部を使用者の眼前に支持し、使用者の側頭部に当接する左右一対のテンプルと、このテンプルに設けられ、このテンプルと側頭部との密着力を低下させるための側頭部密着部体とを有する眼鏡型ディスプレイを用いた側頭部密着システムであって、
上記眼鏡型ディスプレイの脱離時には、上記側頭部密着部体によって側頭部とテンプルの密着力を低くする密着力調整手段を有していることを特徴とする側頭部密着システム。
【発明の詳細な説明】
【技術分野】
【０００１】
本発明は、眼鏡型ディスプレイ及び側頭部密着システムに関する。
【背景技術】
【０００２】
従来、ヘッドマウントディスプレイ、特に、眼鏡型ディスプレイと呼称されているものとして、テンプルの前端部に画像表示部と鼻パッドを配設するとともに、そのテンプルの後端部に耳パッドを取り付けた形態のものがある。
【０００３】
眼鏡型ディスプレイは、頭部に装着されて、映像等の画像情報を使用者に表示する機能を有するものである。
このような形態の眼鏡型ディスプレイでは、上記画像表示部とともに、この画像表示部に画像情報を表示するための画像表示ユニット，駆動回路及び光源が使用者の眼前付近に配置されている。このため、前方が重い構造、従ってまた、鼻への負荷が極めて高い構造となっている。
【０００４】
一般に、眼鏡型ディスプレイの重量は４０ｇから１００ｇ程度であり、また、鼻パッドと耳パッドでの重量比は８：２〜９：１となり、この場合、鼻パッドには３０ｇから８０ｇ程度の荷重が加わる。
【０００５】
近視矯正眼鏡では、鼻パッドへの荷重は１０ｇ程度であり、通常の近視矯正眼鏡の３倍から８倍もの荷重が鼻にかかるため、眼鏡型ディスプレイを長時間装着すると鼻パッド付近が赤く炎症して痛みが発生する虞がある。
【０００６】
この問題を解決するため、例えば、特許文献１には、テンプル構造を工夫して眼鏡型ディスプレイに付属するケーブル重量の低減することにより装着感の改善を図ろうとはした構造が開示されている。
しかし、特許文献１に開示された従来技術では、構造的に表示部そのものの重量による鼻への負荷低減になってはいない。
【０００７】
一方、特許文献２には、眼鏡型ディスプレイの筐体に頭部周囲へ固定するフレームを付帯した構造のものが開示されている。
この場合、鼻への負荷低減にはなるが、その固定したフレームにより頭部への締め付けが強くなり、また、眼鏡型ディスプレイを頭部から外すとき、固定フレームが邪魔になり外しにくい。
【発明の概要】
【発明が解決しようとする課題】
【０００８】
以上のとおり、上記特許文献１，２に開示された従来技術は、いずれも眼鏡型ディスプレイにおける鼻への負荷を低減するために、フレーム形状を工夫するにとどまるものである。
従って、鼻への負荷を低減するフレーム構造はあるものの、その場合、装着がしづらく、眼鏡型という本来持っている装着・脱離の簡便性が損なわれるという課題が未解決のままである。
【０００９】
そこで本発明は、上記従来技術の課題を鑑みてなされたものであり、眼鏡型ディスプレイにおける装着・の簡便性を維持し、かつ、装着時における鼻や耳への負荷を低減する眼鏡型ディスプレイの提供を目的としている。
【課題を解決するための手段】
【００１０】
上記課題を解決するための請求項１記載の本発明は、画像情報に応じた画像を表示するための画像表示部と、この画像表示部を使用者の眼前に支持し、使用者の側頭部に当接する左右一対のテンプルとを有する眼鏡型ディスプレイにおいて、上記テンプルに、このテンプルと側頭部との密着力を低下させるための側頭部密着部体を設けたことを特徴としている。
【発明の効果】
【００１１】
本発明によれば、眼鏡型ディスプレイにおける装着・脱離の簡便性を維持し、かつ、装着時における鼻や耳への負荷を低減することができる。
【図面の簡単な説明】
【００１２】
【図１】一例に係る眼鏡型ディスプレイの概略側面図である。
【図２】同上の一例に係る眼鏡型ディスプレイを頭部に装着した様子を示す側面図である。
【図３】画像投影光学ユニットと画像表示部の概略構成を示す側面図である。
【図４】本発明の第一の実施形態に係る眼鏡型ディスプレイを頭部に装着した様子を示す側面図である。
【図５】同上の第一の実施形態に係る眼鏡型ディスプレイを頭部に装着した様子を示す上面図である。
【図６】図５に包囲線Ｉで示す部分の部分拡大図である。
【図７】粘着層の粘着性を示すグラフであり、縦軸が粘着力、横軸が温度を示している。
【図８】側頭部密着システムの電気的構成を示すブロック図である。
【図９】同上の側頭部密着システムの動作内容を示すフローチャートである。
【図１０】第二の例に係る側頭部密着部体を示す部分拡大図であり、図５に包囲線Ｉで示す部分に相当している。
【図１１】粘着層の粘着性を示すグラフであり、縦軸が粘着力、横軸が温度を示している。
【図１２】同上の側頭部密着システムの動作内容を示すフローチャートである。
【図１３】第三の例に係る側頭部密着部体を示す部分拡大図である。
【図１４】弾性層の粘着力を示すグラフであり、縦軸が粘着力、横軸が中空弾性支持部材の内部圧力を示している。
【図１５】本システムの動作内容を示すフローチャートである。
【発明を実施するための形態】
【００１３】
以下に、本発明を実施するための形態について図面を参照して詳細に説明する。なお、各図中、同一又は相当する部分には同一の符号を付しており、それらの重複した説明は適宜に簡略化し又は省略する。
【００１４】
図１は、一例に係る眼鏡型ディスプレイの概略側面図、図２は、図１に示す眼鏡型ディスプレイを頭部に装着した様子を示す側面図である。
図１，２に示すように、一例に係る眼鏡型ディスプレイ１００は、互いに所要の間隔にし、使用者の側頭部に当接する左右一対のテンプル１０，１０（一方は図示しない）の前端部間に画像表示部２０，２０を配設したものである。
上記各テンプル１０，１０の各後端部には、耳パッド１１，１１が取り付けられ、また、画像表示部２０，２０間には鼻パッド２１が突設されている。
【００１５】
テンプル１０，１０の前端部近傍には、画像表示部２０，２０に画像を映す機能を有する画像投影光学ユニット３０，３０が配設されている。
上記画像投影光学ユニット３０，３０と画像表示部２０，２０とは、それらを支持する筐体３４，３４を介してテンプル１０，１０によって保持されている。
すなわち、眼鏡型ディスプレイ１００は、鼻パッド２１と耳パッド１１，１１により鼻部と耳部を支持点１，２として頭部に保持されている。なお、Ｇは眼鏡型ディスプレイ１００の重心位置を示している。
【００１６】
図３は、画像投影光学ユニット３０、画像表示部２０の概略構成を示す側面図である。
画像投影光学ユニット３０は、画像情報を画像表示部２０に投影するための光源３１、画像情報により画像を映す例えば液晶パネル３２及び光軸を調整するレンズ群３３から構成されたものである。
画像表示部２０は、画像情報に応じた画像を表示するためのものである。すなわち、画像表示部２０は、網膜に画像を映すためのものであり、それは、反射防止膜を形成した三角プリズムを有する光導波路２０ａにより構成されている。
【００１７】
これにより、画像投影光学ユニット３０から導出された光は、三角プリズムにより屈折し、光導波路２０ａ中を何度か全反射しながら、もう一方の三角プリズムで屈折して眼球に画像が投影されることになる。
なお、図３では、全反射しながらの光路を省略して１本の直線のように記載している。
また、本実施形態において示す画像表示部２０は、両眼に画像を表示する構成のものを例として示しているが、片眼のみに画像を表示する構成としてもよいことは勿論である。
【００１８】
ところで、光源３１からの光量は距離の２乗で減衰する。このため、画像投影光学ユニット３０と画像表示部２０の距離はできるだけ短いほうがよく、眼鏡型ディスプレイ１００では画像投影光学ユニット３０が眼鏡型ディスプレイ１００の前方に位置している。このため、図２に示すように、眼鏡型ディスプレイの重心点は鼻近傍に近い位置となる。
【００１９】
従って、眼鏡型ディスプレイ１００の重量のうち、鼻への荷重比率は８０％から９０％近くになる。
例えば、眼鏡型ディスプレイ１００の重量が片眼タイプで４０ｇ、両眼タイプで１００ｇであると、鼻への荷重は、片眼タイプで３０ｇから４０ｇの間、両眼タイプで８０ｇから９０ｇの間となる。このため、長時間、眼鏡型ディスプレイを着用すると鼻に損傷を及ぼす虞があるのである。
【００２０】
図４は、本発明の第一の実施形態に係る眼鏡型ディスプレイを頭部に装着した様子を示す側面図、図５は、その第一の実施形態に係る眼鏡型ディスプレイを頭部に装着した様子を示す上面図である。また、図６は、図５に包囲線Ｉで示す部分の詳細を部分拡大図である。
【００２１】
本発明の第一の実施形態に係る眼鏡型ディスプレイ１１０は、これを頭部に固定するための側頭部密着システムを有するものであり、テンプル１０，１０に配設した側頭部密着部体４０Ａ及びコントローラ６０（図８参照）を有している。
【００２２】
側頭部密着部体４０Ａは、上記テンプル１０，１０に、このテンプル１０，１０と側頭部３との密着力を低下させるためのものである。
この側頭部密着部体４０Ａは、支持部材４１、加熱素子４２、粘着層４３及び温度センサ４４を主要の構成としたものであり、それらの詳細は次のとおりである。
【００２３】
支持部材４１は、画像表示部２０を使用者の眼前に支持するものである。
この支持部材４１は、側頭部３の形状に沿う凹曲面にした側頭部対向面４１ａと、テンプル１０に固定するためのテンプル固定面４１ｂとを形成した上面視略台形にしている。
加熱素子４２は、粘着層４３を加熱するものであり、平板形の面状に形成されたものを採用している。
【００２４】
なお、本実施形態においては、三つの加熱素子（以下、「面状加熱素子」という。）４２を所要の間隔に配設したものを示しているが、その形状や数は、粘着層４３の材質や大きさ等に合わせて適宜に採用する。
また、側頭部対向面４１ａの全面に粘着層４３を被覆形成した例について示すが、それらに限るものではないことは勿論である。
【００２５】
粘着層４３は、側頭部３に粘着させるためのものであり、側頭部対向面４１ａの全面に被覆形成され、また、三つの面状加熱素子４２が埋設されている。
温度センサ４４は、上記した支持部材４１に埋設されており、粘着層４３の温度を測定できるようにしている。
【００２６】
支持部材４１は、頭部形状にできるだけ密接しやすいように弾性を有することが望ましい。また、各面状加熱素子４２で生じる熱を保温できるようにするため熱伝導率の低い素材が望ましい。具体的には、ゴム硬度５０度から７０度程度のポリウレタン，シリコーンゴム，天然ゴム等のエラストマーがよい。
【００２７】
図７は、 粘着層４３の粘着性を示すグラフであり、縦軸が粘着力、横軸が温度を示している。
粘着層４３に用いる粘着剤は、図７に示すように、体温よりも高い例えば５０℃付近までは皮膚に密着する程度の粘着力を有し、５０℃以上では皮膚に密着しない程度に粘着力が弱くなる性質を有したものである。
【００２８】
加熱により粘着力が低下する粘着剤としては、室温以下のガラス転移温度（Ｔｇ）を有するエラストマーと結晶性ポリマーが混合して海島構造を形成した粘着剤が適する。
粘着性を有するエラストマー中に島状に点在するする結晶性ポリマーを融点以上に加熱すると溶融した結晶性ポリマーが粘着性を示すエラストマー表面を被い、粘着力が弱くなる。さらに、加熱後、結晶性ポリマーの凝固点以下に冷却すると溶融した結晶性ポリマーが結晶化し、エラストマー中に島状に点在し、エラストマーが表面にむき出し、再び、粘着性を帯びる。
上記した温度センサ４４はコントローラ６０の入力側に、また、面状加熱素子４２は出力側にそれぞれ有線又は無線により接続されている。
【００２９】
上記の構成によれば、体温程度の温度では粘着層４３は皮膚に密着して大きな摩擦係数を示すため、摩擦力が極めて高く、皮膚から側頭部密着部体４０Ａがずれることがない。これにより、眼鏡型ディスプレイ１１０を側頭部３でしっかりと支持できるため、鼻への荷重が低減し、鼻への負荷が小さくなる。
【００３０】
眼鏡型ディスプレイ１１０を外す時は、外す動作に応じて発せられる電気信号に基づき、コントローラ６０から面状加熱素子４２に接続された信号線（図示していない）を通じて通電駆動して粘着層４３を５０℃程度で１から２秒間加熱する。
【００３１】
加熱によって粘着層４３の粘着力が弱まり摩擦係数が小さくなるため、眼鏡型ディスプレイ１１０を容易に外すことができる。
このとき、面状加熱素子４２の駆動時間が短いため、熱による皮膚へのダメージや熱による刺激はほとんどなく、使用者は熱を感じることなく眼鏡型ディスプレイ１１０を外すことができる。
【００３２】
なお、眼鏡型ディスプレイ１１０は、これの装着・脱離を繰り返し行うため、粘着層４３は、一度加熱して粘着力が弱くなっても、体温以下の温度に戻ると、粘着力が大きくなる、すなわち、温度による粘着力の変化が可逆的であることが望ましい。
【００３３】
また、側頭部３への密着力を直接検出することが困難であるため、本発明者らは、粘着層４３に隣接して設置した温度センサ４４を、側頭部３への密着力を検出する手段としている。
すなわち、図７に示すように、温度と粘着力の関係を示すデータテーブルに基づき、粘着層４３の温度を検出することにより、装着時と脱離時における側頭部３への密着力を制御している。
【００３４】
図８は、側頭部密着システムの電気的構成を示すブロック図である。
コントローラ６０は、ＣＰＵ（Central Processing Unit）とインターフェース回路（いずれも図示しない）を有して構成されている。
【００３５】
コントローラ６０の入出力ポートには、駆動回路６１、センサー回路６２、表示機構６３及び脱離時オン／オフスイッチ６４がそれぞれ適宜接続されている。
駆動回路６１は、面状加熱素子４２を駆動させるものである。なお、同図に示す電気的構成は、以下に示す第二，第三の実施形態においても同等の構成であるので、それらにおいて説明する冷却素子、圧力ポンプ、開閉バルブについても同図中に記載している。
本実施形態においては、コントローラ６０が本システムの制御中枢をなすコンピュータである。
【００３６】
コントローラ６０は、これに接続されている図示しないメモリに、上記した図７に示すグラフのデータテーブルが記憶されているとともに、所要のプログラムの実行により、次の機能を発揮する。
【００３７】
（１）眼鏡型ディスプレイ１１０の脱離時には、側頭部密着部体４０Ａによって側頭部とテンプルの密着力を低くする機能。この機能を「密着力調整手段６０ａ」という。
本実施形態においては、温度センサ４４により検出した粘着層４３の温度に基づいて、その粘着層４３を加熱している。
具体的には、温度と粘着力の関係を示すデータテーブルに基づき、装着時と脱離時の密着力を制御している。
【００３８】
さらには、眼鏡型ディスプレイ１１０を装着したとき、面状加熱素子４２によって粘着層４３の加熱を行わず、これにより、側頭部３への粘着力を強めて該側頭部３とテンプル１０の密着力を高くしておく。
一方、眼鏡型ディスプレイ１１０を脱離するときには、面状加熱素子４２により粘着層４３を加熱して粘着力を弱めて、テンプル１０と側頭部３との密着力を低下させる。
【００３９】
次に、図９を参照して、本システムの動作内容について説明する。図９は、本システムの動作内容を示すフローチャートである。
脱離時オン／オフスイッチ６４がオン操作されるとステップ１に進む。
【００４０】
ステップ１（図９中、「Ｓ１ａ」と略記する。以下、同様。）：温度センサ４４によって検出した温度が３７℃以下であるか否かを判定し、ここで３７℃以下であると判定されればステップ３に進み、そうでなければステップ２に進んで装着ができないことを表示する。
【００４１】
ステップ３：装着ができることを表示してステップ４に進む。
ステップ４：脱離時オン／オフスイッチ６４がオン操作されたか否かを判定し、ここでオン操作されたと判定されればステップ５に進み、そうでなければステップ３に戻る。
【００４２】
ステップ５：面状加熱素子４２に通電して、ステップ６に進む。
ステップ６：温度センサ４４によって検出した温度が５０℃を超えたか否かを判定し、当該温度が５０℃を超えていると判定されればステップ７に進み、そうでなければステップ５に戻って通電を継続する。
【００４３】
ステップ７：脱離ができることを示す「脱離ＯＫ」を表示するとともに、例えば２秒後に面状加熱素子４２の通電を停止して一連の処理を終了する。
なお、「脱離ＯＫ」の表示は、オペレーションパネル又はコントローラのインジケーターランプ（いずれも図示しない）を点灯させる態様によるものである。
【００４４】
以上の構成からなる眼鏡型ディスプレイ１１０によれば、次の効果を得ることができる。
側頭部３の広い領域に渡って密着させる側頭部密着部体４０Ａをテンプル１０に配設することにより、眼鏡型ディスプレイ１１０の支持位置が側頭部３に移動し、鼻への負荷を低減させることができる。
【００４５】
次に、図１０を参照して、第二の例に係る側頭部密着部体について説明する。図１０は、第二の例に係る側頭部密着部体を示す部分拡大図、図１１は、 粘着層の粘着性を示すグラフであり、縦軸が粘着力、横軸が温度を示している。
なお、図中、上記図６において説明したものと同一又は同等のものには、それらに同一の符号を付して、それらの重複した説明を省略する。
【００４６】
第二の例に係る側頭部密着部体４０Ｂは、上記した面状加熱素子４２に代えて冷却素子４５を採用したものである。
【００４７】
本実施形態においては、三つの冷却素子（以下、「面状冷却素子」という。）４５を所要の間隔に配設したものを示しているが、その形状や数は、粘着層４６の材質や大きさ等に合わせて適宜に採用する。
また、側頭部対向面４１ａの全面に粘着層４６を被覆形成した例について示すが、それらに限るものではないことは勿論である。
【００４８】
本例において粘着層４６に用いる粘着剤としては、図１１に示すように、体温よりも低い例えば１３℃付近までは皮膚との密着する程度の粘着力を有し、１３℃以下では皮膚に密着しない程度に粘着力が弱くなる性質を有していることが望ましい。
【００４９】
冷却により粘着力が低下する粘着剤としては、０℃から１０℃程度のガラス転移温度（Ｔｇ）を有するエラストマーを有する粘着剤が適する。ガラス転移温度以上ではエラストマーは強い粘着性を有する。ガラス転移温度付近まで冷却するとエラストマーは粘着力が弱くなる。
【００５０】
第二の例に係る側頭部密着部体４０Ｂを用いた側頭部密着システムの電気的構成は、上記した図８に示すものと同等の構成であるが、コントローラ６０の機能が相違している。
【００５１】
コントローラ６０は、これに接続されている図示しないメモリに、上記した図１１に示すグラフのデータテーブルが記憶されているとともに、所要のプログラムの実行により、次の機能を発揮する。
【００５２】
（２）温度センサ４４により検出した粘着層４６の温度に基づいて、その粘着層４６を冷却する機能。この機能を「粘着層冷却手段６０ｂ」という。
本実施形態においては、図１１に示すグラフのデータテーブルに基づき、装着時と脱離時の密着力を制御している。
【００５３】
具体的には、眼鏡型ディスプレイ１１０を装着したとき、面状冷却素子４５によって粘着層４６の冷却を行わず、これにより、側頭部３への粘着力を強めて側頭部３とテンプル１０の密着力を高くしておく。
【００５４】
一方、眼鏡型ディスプレイ１１０を脱離するときには、面状冷却素子４５により粘着層４６を冷却する。これにより、粘着層４６の粘着力が弱まって摩擦係数が小さくなるため、テンプル１０と側頭部３との密着力が低下する。従って、眼鏡型ディスプレイ１１０を容易に外すことができる。
【００５５】
このとき、面状冷却素子４５の駆動時間が短いため、冷たさによる皮膚へのダメージや刺激はほとんどなく、使用者は冷たさを感じることなく眼鏡型ディスプレイ１１０を外すことができる。
【００５６】
なお、粘着層４６としては、繰り返し装着・脱離を行うため、一度冷却して粘着力が弱くなっても、体温程度の温度にもどると、粘着力が大きくなる、すなわち、温度による粘着力の変化が可逆的であることが望ましい。
【００５７】
次に、図１２を参照して、第二の例に係る側頭部密着部体４０Ｂを用いた側頭部密着システムの動作について説明する。図１２は、本システムの動作内容を示すフローチャートである。
【００５８】
ステップ１（図１２中、「Ｓ１ｂ」と略記する。以下、同様。）：温度センサ４４によって検出した温度が１５℃以上であるか否かを判定し、ここで、温度センサ４４によって検出した温度が１５℃以上であると判定されればステップ３に進み、そうでなければステップ２に進んで装着ができないことを表示する。
【００５９】
ステップ３：装着ができることを表示してステップ４に進む。
ステップ４：脱離時オン／オフスイッチ６４がオン操作されたか否かを判定し、ここで、当該スイッチ６４がオン操作されたと判定されればステップ５に進み、そうでなければステップ３に戻る。
【００６０】
ステップ５：面状冷却素子４５に通電して、ステップ６に進む。
ステップ６：温度センサ４４によって検出した温度が１０℃以下であるか否かを判定し、当該温度が１０℃以下であると判定されればステップ７に進み、そうでなければステップ５に戻って通電を継続する。
【００６１】
ステップ７：脱離ができることを示す「脱離ＯＫ」を表示するとともに、例えば２秒後に面状冷却素子４５の通電を停止して一連の処理を終了する。
【００６２】
上記した図１０に示す構成からなる側頭部密着部体４０Ｂによれば、次の効果を得ることができる。
体温程度の温度では粘着層は皮膚に密着して大きな摩擦係数を示すため、摩擦力が極めて高く、皮膚から側頭部密着部体４０Ｂが位置ずれることがなく、眼鏡型ディスプレイ１１０を側頭部３でしっかりと支持できる。
【００６３】
次に、図１３を参照して、第三の例に係る側頭部密着部体について説明する。図１３は、第三の例に係る側頭部密着部体を示す部分拡大図である。
なお、図中、上記図６において説明したものと同一又は同等のものには、それらに同一の符号を付して、それらの重複した説明を省略する。
【００６４】
本例に係る側頭部密着部体４０Ｃは、中空弾性支持部材５０、圧力センサ５１、弾性層５２、空気ポンプ５３及び開閉バルブ５４を主要の構成としたものである。
【００６５】
中空弾性支持部材５０は、空気圧により膨縮する支持部材であり、膨張・収縮可能な材質により、また、ジャバラ構造をもつ中空にした弾性変形可能なものである。
この中空弾性支持部材５０は、送圧パイプ５５の一端部に接続されているとともに、その送圧パイプ５５の他端部には上記の空気ポンプ５３が接続されている。また、送圧パイプ５５の中間部には、開閉バルブ５４が配設されている。
【００６６】
圧力センサ５１は、中空弾性支持部材５０の内部圧力を検出するためのものであり、テンプル１０に固定されている。
空気ポンプ５３は、本実施形態においては、小型軽量で低消費電力タイプのダイヤフラム型マイクロポンプを採用している。
弾性層５２は、側頭部３の皮膚に接する面に一定の摩擦係数を有する材質のものを採用しており、具体的には、粗面を有する弾性体等が適する。
【００６７】
図１４は、 弾性層５２の粘着力を示すグラフであり、縦軸が粘着力、横軸が中空弾性支持部材５０の内部圧力を示している。
【００６８】
コントローラ６０には、上記した圧力センサ５１、空気ポンプ５３及び開閉バルブ５４が入出力ポートにそれぞれ適宜接続されている。
本実施形態においては、コントローラ６０が本システムの制御中枢をなすコンピュータである。
【００６９】
第三の例に係る側頭部密着部体４０Ｃを用いた側頭部密着システムにおいては、コントローラ６０の機能が相違している。
【００７０】
コントローラ６０は、これに接続されている図示しないメモリに、上記した図１４に示すグラフのデータテーブルが記憶されているとともに、所要の記録媒体折りプログラムの実行により、次の機能を発揮する。
圧力センサ５１により検出した中空弾性支持部材５０の圧力に基づいて、その中空弾性支持部材５０の圧力を増減調整する機能。この機能を「圧力増減手段６０ｃ」という。
【００７１】
次に、図１５を参照して、第三の例に係る側頭部密着部体４０Ｃを用いた側頭部密着システムの動作について説明する。図１５は、本システムの動作内容を示すフローチャートである。
脱離時オン／オフスイッチ６４がオン操作されるとステップ１に進む。
【００７２】
ステップ１（図１５中、「Ｓ１ｃ」と略記する。以下、同様。）：空気ポンプ５３を駆動させてステップ２に進む。
ステップ２：圧力センサ５１によって検出した圧力が４０ｋＰａ以上であるか否かを判定し、ここで圧力が４０ｋＰａ以上であると判定されればステップ４に進み、そうでなければステップ３に進んで装着ができないことを表示する。
【００７３】
ステップ４：装着ができることを表示するとともに空気ポンプ５３を停止し、また、開閉バルブ５４を閉駆動する。
【００７４】
ステップ５：脱離時オン／オフスイッチ６４がオン操作されたか否かを判別し、オン操作されたと判別されればステップ６に進み、そうでなければステップ４に戻る。
ステップ６：開閉バルブ５４を開いてステップ７に進む。
【００７５】
ステップ７：圧力センサ５１によって検出した圧力が１０ｋＰａ以下であるか否かを判定し、ここで圧力が１０ｋＰａ以下であると判定されればステップ８に進み、そうでなければステップ６に進んで装着ができないことを表示する。
【００７６】
ステップ８：離脱ＯＫを表示するとともに、開閉バルブ５４を閉じて一連の処理を終了する。
【実施例】
【００７７】
以下に、実施例について説明する。
（実施例１）
＜眼鏡型ディスプレイ＞
図１に示す両眼タイプの眼鏡型ディスプレイ１００において、重量８０ｇ、表示部が三角プリズムを両端に配置した透明アクリル樹脂製の光導波路２０ａを有し、画像投影光学ユニット３０の光源３１がＬＥＤ、０．４４インチの液晶パネル３２を有している。
コントローラ６０からの送信される各種情報に基づき、画像投影光学ユニット３０に駆動信号を出す。
重心は、眼鏡型ディスプレイ１１０の先端から１５ｍｍの位置にあり、鼻パッド、耳パッドを有する。
【００７８】
＜側頭部密着部体＞
図４において、２０ｍｍの長さで頭部のこめかみから髪の生え際の位置に図５に示す構成の側頭部密着部体４０Ａをテンプル１０上に配置した。
側頭部密着部体４０Ａの支持部材４１は、長さ２０ｍｍ厚み１５ｍｍのゴム硬度６０度ＮＢＲゴムとし、テンプル１０にねじ留めし、頭部に接する形状は、こめかみから髪の生え際にかけての頭部形状に沿った曲面形状とした。
【００７９】
この曲面形状に合わせて、フィルム状の面状加熱素子４２（長さ２０ｍｍ、幅１５ｍｍ、厚み０．６ｍｍ）一枚を耐熱性接着剤でＮＢＲゴムに接着した（面状加熱素子からは図示していないリード線がコントローラ６０に配線されている）。
【００８０】
さらに、面状加熱素子４２表面に、加熱により粘着力が弱まる粘着テープ（ニッタ（株）「インテリマーテープ  ウォームオフタイプＷＳ５１３０Ｃ１０」）を耐熱性接着剤で接着した。
コントローラ６０に脱離時オン／オフスイッチ６４を設定し、当該スイッチがＯＮ状態になると、側頭部密着部体４０Ａの面状加熱素子４２を２秒間通電するようにした。このとき、通電により面状加熱素子４２は５５℃まで加熱される。
【００８１】
＜結果＞
装着時
眼鏡型ディスプレイ１１０をこめかみ付近に側頭部密着部体４０Ａが密着するように固定した。装着は極めて簡便で煩わしさはなかった。１時間連続して装着したが、鼻部、耳部に不快感はなく、こめかみ付近も特に違和感はなかった。
また、眼鏡型ディスプレイ１１０を装着したまま歩行して、歩く際生じる振動があっても鼻への負荷は気にならなかった。
【００８２】
脱離時
眼鏡型ディスプレイ１１０を外す直前に、コントローラ６０側で脱離時オン／オフスイッチ６４をＯＮ状態にした。側頭部に一瞬熱を感じはしたが、皮膚に刺激や痛みが一切発生することなく、なんの抵抗もなく眼鏡型ディスプレイ１１０を外すことができた。
【００８３】
（比較例１）
実施例１において、側頭部密着部体のない眼鏡型ディスプレイ１００を１時間装着した。装着５分くらいから、鼻パッドに接する鼻部に違和感が生じ始めた。
その後は装着に慣れてきたが、装着したまま歩行すると、歩く際に生じる振動により突き上げる違和感が鼻部に発生した。１時間装着後、眼鏡型ディスプレイを外すと、鼻パッドが当たっていた鼻部が若干赤く炎症していた。
【００８４】
（比較例２）
実施例１と同様の構成であるが、側頭部密着部体４０Ａに用いる粘着剤を常時粘着力の強い粘着剤とした。
装着時は、鼻や耳やこめかみ部へ違和感はなく快適な装着であった。しかし、１時間装着後、眼鏡型ディスプレイを外す際、こめかみに側頭部密着部体４０Ａが張り付き、剥がす際に皮膚角質の脱離と痛みを伴う刺激が発生した。
【００８５】
（実施例２）
＜眼鏡型ディスプレイ＞
実施例１と同じ構成の装置とした。
＜側頭部密着部体＞
図６に示す側頭部密着部体４０Ｂを、２０ｍｍの長さで頭部のこめかみから髪の生え際の位置のテンプル１０上に配置した。
側頭部密着部体４０Ｂの支持部材４１は、長さ２０ｍｍ厚み１５ｍｍのゴム硬度６０度ＮＢＲゴムとし、テンプル１０にねじ留めした。また、頭部に接する形状は、こめかみから髪の生え際にかけての頭部形状に沿った曲面形状とした。
【００８６】
この曲面形状に合わせて、ペルチェ素子（１０ｍｍ×１０ｍｍ）を２枚、冷却面を頭部側にして弾性接着剤でＮＢＲゴムに接着した（ペルチェ素子からは図示していないリード線がコントローラ６０に配線されている）。
【００８７】
さらに、ペルチェ素子表面に、冷却により粘着力が弱まる粘着テープ（ニッタ（株）「インテリマーテープ  クールオフタイプ。スイッチング温度２０℃）を弾性接着剤でモールドするように接着した。
【００８８】
コントローラ６０に脱離時オン／オフスイッチ６４を設定し、当該スイッチ６４がＯＮ状態になると、側頭部密着部体４０Ｂのペルチェ素子を１秒間通電するようにした。このとき、通電により面状冷却素子は１５℃まで冷却された。
【００８９】
＜結果＞
装着時
眼鏡型ディスプレイ１１０をこめかみ付近に側頭部密着部体４０Ｂが密着するように固定した。装着は極めて簡便で煩わしさはなかった。１時間連続して装着したが、鼻部、耳部に不快感はなく、こめかみ付近も特に違和感はなかった。
また、眼鏡型ディスプレイ１１０を装着したまま歩行して、歩く際生じる振動があっても鼻への負荷は気にならなかった。
【００９０】
脱離時
眼鏡型ディスプレイ１１０を外す直前に、コントローラ６０側で脱離時オン／オフスイッチ６４をＯＮ状態にした。一瞬側頭部に冷たさを感じはしたが、皮膚に刺激や痛みが一切発生することなく、なんの抵抗もなく眼鏡型ディスプレイ１１０を外すことができた。
【００９１】
（実施例３）
＜眼鏡型ディスプレイ＞
実施例１と同じ構成の装置とした。
＜側頭部密着部体＞
図１３に示す側頭部密着部体４０Ｃを、２０ｍｍの長さで頭部のこめかみから髪の生え際の位置のテンプル１０上に配置した。また、テンプル１０にジャバラ構造を有する厚み５０μｍのポリエチレン製中空体（中空弾性支持部材５０）を接着した。
【００９２】
中空体にはパイプを取り付け、耳パッド近くに固定した空気ポンプ（高砂電気工業（株）ピエゾマイクロポンプ）５３に接続した。中空弾性支持部材５０の皮膚と接する側に厚み０．５ｍｍのゴム硬度３０度のＮＢＲゴム（２０ｍｍ×１０ｍｍ）を両面テープで固定した。
空気ポンプ５３を２秒間駆動して中空弾性支持部材５０の内圧が装着時は４５ｋＰａ、脱離時は１０ｋＰａとなるよう調整した。
【００９３】
＜結果＞
装着時
空気ポンプ５３を加圧モードで駆動して、眼鏡型ディスプレイをこめかみ付近に側頭部密着部体４０Ｃが密着するように固定した。装着は極めて簡便で煩わしさはなかった。１時間連続して装着したが、鼻部、耳部に不快感はなく、こめかみ付近も特に違和感はなかった。
また、眼鏡型ディスプレイ１１０を装着したまま歩行して、歩く際生じる振動があっても鼻への負荷は気にならなかった。
【００９４】
脱離時
眼鏡型ディスプレイ１１０を外す直前に、コントローラ６０側で脱離時オン／オフスイッチ６４をＯＮ状態にし、空気ポンプ５３を減圧モードで駆動した。皮膚に刺激や痛みが一切発生することなく、なんの抵抗もなく眼鏡型ディスプレイを外すことができた。
【００９５】
以上のように、本発明の実施形態について詳細に説明したが、特許請求の範囲に定義された本発明の広範囲な趣旨及び範囲から逸脱することなく、それら具体例に様々な修正及び変更が可能であることを付記する。
【符号の説明】
【００９６】
１０    テンプル
１１    耳パッド
２０    画像表示部
２０ａ  光導波路
２１    鼻パッド
３０    画像投影光学ユニット
３１    光源
３２    液晶パネル
３４    筐体
４０Ａ    側頭部密着部体
４０Ｂ    側頭部密着部体
４０Ｃ    側頭部密着部体
４１    支持部材
４２    面状加熱素子
４５    面状冷却素子
４６    粘着層
５０    中空弾性支持部材
５１    圧力センサ
５２    弾性層
５３    空気ポンプ
５５    送圧パイプ
６０    コントローラ
６０ａ  密着力調整手段
６１    駆動回路
６４    脱離時オン／オフスイッチ
１００    眼鏡型ディスプレイ
１１０    眼鏡型ディスプレイ
１２０    眼鏡型ディスプレイ
【先行技術文献】
【特許文献】
【００９７】
【特許文献１】特開２００９−６５３０９号公報
【特許文献２】特開２００６−２６２１４６号公報
【図１】
2016131270.tif 000003
【図２】
2016131270.tif 000004
【図３】
2016131270.tif 000005
【図４】
2016131270.tif 000006
【図５】
2016131270.tif 000007
【図６】
2016131270.tif 000008
【図７】
2016131270.tif 000009
【図８】
2016131270.tif 000010
【図９】
2016131270.tif 000011
【図１０】
2016131270.tif 000012
【図１１】
2016131270.tif 000013
【図１２】
2016131270.tif 000014
【図１３】
2016131270.tif 000015
【図１４】
2016131270.tif 000016
【図１５】
2016131270.tif 000017